(57)【特許請求の範囲】
【請求項１】
固体漂白剤成分１００重量部に対し、潮解性成分３０〜４８０重量部を含有する水回りのカビ取り用の漂白剤組成物シートであって、
前記固体漂白剤成分と前記潮解性成分とは、それぞれ、２枚以上のシート材からなるシート状の基体において該シート材間に狭持固定されており、
前記シート材は、３枚であり、前記固体漂白剤成分と前記潮解性成分とは、１枚のシート材を介して隔離されており、前記基体は、その一面側に粘着剤が塗布されて固定部が形成されており、
前記潮解性成分は、酢酸カリウム、塩化カルシウム６水和物、硝酸カルシウム４水和物、塩化リチウム水和物又は硝酸マグネシウム６水和物であり、
前記シート材の坪量は２〜１００ｇ／ｍ2であり、
前記漂白剤組成物シートの厚みは５ｍｍ以下である漂白剤組成物シート。
【発明の詳細な説明】
【０００１】
【発明の属する技術分野】
本発明は、漂白、カビ取り、防カビ、殺菌、除菌、消臭、防臭、及び防虫効果に水回りのカビ取り用の優れた漂白剤組成物シートに関する。
【０００２】
【従来の技術及び発明が解決しようとする課題】
従来より、浴室や洗面所などの硬質表面の漂白やカビ取り等を行う漂白剤組成物や漂白用シートは種々提案されている。
例えば、従来、浴室、台所等の水回り設備の目地等に発生したカビや汚れの除去は、次亜塩素酸塩等の漂白剤成分を含有する液剤をカビ及び汚れ発生部に噴霧ないし塗布し、所定時間放置したのち洗い流すことにより行われていた。しかし、壁面等に噴霧ないし塗布すると、液垂れが生じて良好な清掃効果が得られなかったり、カビ及び汚れ発生部以外にも塗布され効率が悪かったり、壁面等の脱色が発生する等の問題があった。また、液剤が滞留しなくても充分な効果を得られるように作用の強い漂白剤を使用する必要があり、噴霧中の飛散等により人体に影響を与える場合が生じたり、天井等の目線より高い位置の作業が危険である等の問題点もあった。
液垂れや飛散を防ぐための技術としては、液剤を空気と混合して泡状に噴出・塗布させる技術や、液剤をシート状の部材に含浸させ、これを液剤の張力を利用して壁面に付着させておく技術が考えられている。しかし、液剤を泡状に噴出・塗布させる技術では、液垂れがわずかに遅延されるだけで、充分な効果は得られない問題点がある。また、液剤を含浸させたシート状部材を付着させておく技術は、液剤の保持容量が少ないので乾燥して剥離し易い、シート状部材に液剤を含浸させる過程があり簡便でない等の問題点がある。
【０００３】
これらの問題点に対処すべく、特許第２５６７３３０号公報、特開平９−１４０６４７号公報で、粘着剤により不織布、織布、紙類等の支持体に漂白剤成分を保持及び／又は該漂白成分を被清掃部に当接させるシート等が提案されている。
しかし、これらの技術では、漂白剤と粘着剤が共存しているため、該粘着剤によって、該漂白剤が経時的に失活するという保存安定性の点で欠点がある。
【０００４】
また、特開平７−１１６２３５号公報では、凹みと凹みの間に適宜な間隔の接合面を有する不織布を用い、不織布とシール材の間に形成される空隙に固形塩素剤を充填して不織布の接合面とシール材を接合し、シール材の外側面に粘着剤層を形成してなる固形塩素剤保持体が提案されている。
また、実開平５−６６００１号公報では、水との反応により次亜塩素酸を生成する塩素系漂白剤を含有した保水性反応層の一方の面に通気性フィルムが配され、他方の面にガスバリアー性フィルムが配された三層構造を有するカビ取りシートにおいて、該ガスバリアー性フィルムが保水性反応層の背面および通気性フィルムの周縁を被覆し、さらに通気性フィルム側の面の周縁に粘着性接着剤層が設けられて成るカビ取りシートが提案されている。
しかし、上述したカビや汚れ除去用のシート等は、何れも構造が複雑であり加工性も悪く、また使い勝手が悪いという問題があった。
【０００５】
また、従来の漂白シートでは、水をかける必要があり、水が存在しない場所では十分な効果を発揮できないため、押し入れ、ゲタ箱、タンス内部、居室の壁面等の水をかけることができない場所では使用できないという問題もあった。
【０００６】
従って、本発明の目的は、漂白剤成分の飛散や垂れがなく、漂白剤成分を効率的に作用させることができ、また、ミストの発生がなく、安全且つ手軽に、漂白、カビ取り、防カビ、殺菌、除菌、消臭、防臭、及び防虫効果を得ることができ、しかも、水の存在しない場所においても十分な効果を発揮できる、漂白剤組成物を提供することにある。
【０００７】
【課題を解決するための手段】
本発明は、固体漂白剤成分１００重量部に対し、潮解性成分３０〜４８０重量部を含有する水回りのカビ取り用の漂白剤組成物シートであって、前記固体漂白剤成分と前記潮解性成分とは、それぞれ、２枚以上のシート材からなるシート状の基体において該シート材間に狭持固定されており、前記シート材は、３枚であり、前記固体漂白剤成分と前記潮解性成分とは、１枚のシート材を介して隔離されており、前記基体は、その一面側に粘着剤が塗布されて固定部が形成されており、前記潮解性成分は、酢酸カリウム、塩化カルシウム６水和物、硝酸カルシウム４水和物、塩化リチウム水和物又は硝酸マグネシウム６水和物であり、前記シート材の坪量は２〜１００ｇ／ｍ2であり、前記漂白剤組成物シートの厚みが５ｍｍ以下である漂白剤組成物シートを提供することにより、上記目的を達成したものである。
【０００８】
【発明の実施の形態】
以下、本発明の好ましい一実施形態について説明する。本発明の漂白剤組成物シート（以下、本発明の漂白剤組成物ともいう）は、固体漂白剤成分と潮解性成分とを、特定の配合割合で含有する。
【０００９】
本発明において用いることができる前記固体漂白剤成分としては、カビ取り、漂白、殺菌、除菌、消毒、消臭等を可能にする成分であればよく、具体例としては、ジクロロイソシアヌル酸ナトリウム、トリクロロイソシアヌル酸ナトリウム、高度サラシ粉、ジクロロメチルヒダントイン、ブロモクロロジメチルヒダントイン、亜塩素酸カルシウム等の塩素系漂白成分や、過炭酸ソーダ若しくは過ホウ酸ソーダにテトラアセチルエチレンジアミン、無水コハク酸、アルカノイルオキシベンゼンスルホン酸ナトリウム及び下記〔化１〕の一般式（１）及び下記〔化２〕の一般式（２）で表されるスルホナート等の有機過酸前駆体、又は各種溶菌酵素；セルラーゼ、ヘミセルラーゼ、キシラナーゼ、ペクチンエステラーゼ、ポリガラクツロナーゼ、ペクチンリアーゼ、グルコシダーゼ、ガラクトシダーゼ、マンノシダーゼ、アラビノフラノシダーゼ、マンナナーゼ、β−１，３−グルカナーゼ、α−１，３−グルカナーゼ、ラミナリナーゼ、プロテアーゼや各種酸化還元酵素等を添加した酸素系漂白成分等が挙げられる。
なお、有機過酸前駆体を用いる場合には、生成する有機過酸の安定化剤として各種キレート剤を併用することが好ましい。
【００１０】
【化１】
0003633844.tif 000002
【００１１】
【化２】
0003633844.tif 000003
【００１２】
上記一般式（２）で表されるスルホナートにおいては、特に、Ｒ１  が水素原子または炭素数４以下の直鎖若しくは分岐鎖のアルキル基、アシル基又はアルコキシ基であり、Ｒ２  が炭素数１〜８の直鎖又は分岐鎖のアルキレン基、又は式−（  Ｒ４）ｐ  −Ｏ−Ｒ５  −（ここで、Ｒ４  及びＲ５  は同一又は異なって、炭素数１〜４の直鎖又は分岐鎖のアルキレン基を示し、ｐは０又は１の数を示す）で表される基であり、Ｍがアルカリ金属原子であり、ｎが０〜２０の数であるスルホナートが好ましい。
【００１３】
このような固体漂白剤成分は、本発明においては、本発明の漂白剤組成物の使用形態にもよるが、粒子状で用いられるのが好ましく、その平均粒径は、１００〜１０００μｍとするのが、経日安定性、低粉じん性（安全性）、及び溶解性を両立させる点から好ましい。
【００１４】
本発明において用いることができる前記潮解性成分は、空気中の水分を吸収して、溶解され、前記固体漂白剤成分に水分を供給可能な成分である。
前記潮解性成分としては、酢酸カリウム、塩化カルシウム６水和物、硝酸カルシウム４水和物、塩化リチウム水和物、硝酸マグネシウム６水和物が挙げられる。
このような潮解性成分は、本発明においては、本発明の漂白剤組成物の使用形態にもよるが、粒子状で用いられるのが好ましく、その平均粒径は、１００〜１０００μｍとするのが、低粉じん性及び潮解速度をコントロールする上で好ましい。
【００１５】
前記固体漂白剤成分と前記潮解性成分との配合割合は、前記固体漂白剤成分１００重量部に対して、前記潮解性成分３０〜４８０重量部であり、４０〜３６０重量部とするのが好ましい。
前記潮解性成分の配合割合が、３０重量部未満であると、前記固体漂白剤成分に十分な水分を供給することができず、４８０重量部を超えると、前記固体漂白剤成分に必要量以上の水分が供給され、前記固体漂白剤成分の溶解速度が高まり過ぎて漂白等の効力の持続性が低下したり、液ダレを起こすなどして十分な性能が得られないことが有る。
【００１６】
本発明の漂白剤組成物には、上述の各成分の他に、各種界面活性剤、アルカリ剤、キレート剤、緩衝剤、香料等の他の添加物を添加することもできる。
【００１８】
以下に、本発明の漂白剤組成物シートにおける固体漂白剤成分及び潮解性成分の形態について更に説明すると、前記固体漂白剤成分全量若しくはその一部、又は前記潮解性成分全量若しくはその一部が造粒物であっても良く、少なくとも、前記固体漂白剤成分の５０重量％以上及び／又は前記潮解性成分の５０重量％以上が造粒物であることが好ましい。
【００２０】
本発明の漂白剤組成物シートについて、図面に基づいて以下に説明する。図１に示すように、３枚のシート材２１，２２，２３間に、固体漂白剤成分３１と潮解性成分３２とを別々に狭持させた構造とする。
即ち、本実施形態の漂白シート１は、図１に示すように、３枚のシート材２１，２２，２３からなるシート状の基体２において、固体漂白剤成分３１と潮解性成分３２とが狭持固定されている。
そして、固体漂白剤成分３１と潮解性成分３２とは、１枚のシート材２２を介して隔離されている。また、基体２の一面２ａ側に粘着剤が塗布されて固定部４が形成されている。固体漂白剤成分３１は、一面２ａ側に位置し、潮解性成分３２は、他面２ｂ側に位置するように配されている。即ち、固体漂白剤成分は、被添着面側に位置するように配されている。なお、このような形態で用いる場合でも、固体漂白剤成分と潮解性成分との配合割合は、上述の範囲内である。
また、特に図示しないが、本実施形態の漂白シート１は、その平面視形状が長方形状であり、周縁部分において各シート材２１，２２，２３がシールされている。
【００２１】
前記シート材としては、紙、不織布、織布、編布、フィルム、スポンジ及び他の可撓性基体等が好ましく用いられる。
【００２２】
また、前記シート材の坪量は、２〜１００ｇ／ｍ2とする。
【００２３】
特に、一面２ａを形成する（被添着面側に位置する）シート材２１は、用途に応じて使い分けるのが好ましい。即ち、該シート材２１を、非透湿シートとすることで、被添着面側（２ａ側）への漂白剤成分の作用を妨げ、被添着面の漂白剤成分による損傷を防ぐと共に、反対側（２ｂ側）にのみ漂白剤成分を作用させることで、空間消臭・除菌等の作用を効果的に発揮させることができる。
また、本発明の漂白剤組成物に水をかけることができない場所で防カビ、除菌、消臭、防臭、防虫等の目的で用いるように構成する場合にも、非透湿シートを用いるのが好ましい。
非透湿シートとしては、各種合成樹脂製フィルム、ラミネートフィルム、蒸着フィルム、ラミネート不織布、フィルム貼り合わせ不織布、ラミネート紙等を用いることができる。
【００２４】
本実施形態の漂白シートの厚みは、５ｍｍ以下である。
【００２５】
【発明の効果】
本発明の漂白剤組成物は、漂白剤成分の飛散や垂れがなく、漂白剤成分を効率的に作用させることができる。また、ミストの発生がなく、安全且つ手軽に、漂白、カビ取り、防カビ、殺菌、除菌、消臭、防臭効果を得ることができ、また防虫効果が期待できる。しかも、水の存在しない場所においても十分な効果を発揮できるものである。
【図面の簡単な説明】
【図１】図１は、本発明の漂白剤組成物をシート材に担持させた態様を示す長手方向断面図である。
【符号の説明】
１    漂白シート
２    基体
２１，２２，２３  シート材
３    漂白剤組成物
３１    固体漂白剤成分
３２    潮解性成分
４    固定部
【図１】
0003633844.tif 000004